(57)【特許請求の範囲】
【請求項１】
第１の巻線部分および第２の巻線部分を有するボビンユニット（２０）と、
上記ボビンユニット（２０）の上記第１の巻線部分の周囲に巻かれた１次巻線（３０）と、
上記ボビンユニット（２０）の上記第２の巻線部分の周囲に巻かれており、且つ、上記１次巻線（３０）に電磁的に結合された２次巻線（４０）と、
上記ボビンユニット（２０）に取り付けられたコアユニット（５０）であって、第１のコア部品（５１）と、上記第１のコア部品（５１）と磁気回路経路を形成する第２のコア部品（５２）とを有しており、上記第１のコア部品（５１）は、上記第１のコア部品（５１）と上記第２のコア部品（５２）との間に構成された有効磁束領域の寸法を変更するために、調整可能位置から組立位置へと上記第２のコア部品（５２）に対して可動であるコアユニット（５０）と、によって特徴付けられ、
上記有効磁束領域は、上記第１のコア部品（５１）と上記第２のコア部品（５２）との間に構成されていると共に上記２次巻線（４０）に近接した有効二次磁束区域（５４）であり、上記有効二次磁束区域（５４）の上記寸法が変更される一方で、上記第１のコア部品（５１）と上記第２のコア部品（５２）との間に構成されていると共に上記１次巻線（３０）に近接した有効一次磁束区域（５３）の寸法は維持され、
さらに、上記ボビンユニット（２０）は、本体（２１）を有しており、当該本体（２１）には、長手方向（Ｘ）に沿ってコア収容区画（２２）が形成されており、上記本体（２１）は、上記第１および第２の巻線部分を有しており、そして、上記本体（２１）内に組み込まれた導電板（２３）をさらに有しており、上記導電板（２３）は、上記一次および二次巻線（３０、４０）のいずれか１つに電気的に接続されており、且つ、上記トランス（２００）が取り付けられる回路基板（６０）の金属部分（６１）とキャパシタ（Ｃ）を形成するように構成されていることを特徴とするトランス（２００）。
【請求項２】
上記コアユニット（５０ｆ）は、上記第１のコア部品（５１ｆ）を２つ有しており、上記各第１のコア部品（５１ｆ）は、長手方向（Ｘ）に延びる細長いコア部品であり、上記第２のコア部品（５２ｆ）は、上記長手方向（Ｘ）に延びて対向する長手面と、上記長手方向（Ｘ）に対して垂直な横断方向（Ｙ）に延びて対向する側面とを有する、Ｏ型コア部品であり、上記第１のコア部品（５１ｆ）は、上記長手方向（Ｘ）と上記横断方向（Ｙ）とに対して垂直な垂直方向（Ｚ）に積層されており、
上記第２のコア部品（５２ｆ）には、上記１次巻線（３０）に近接している方の上記側面に第１の溝（５２５）が形成されており、上記２次巻線（４０）に近接している方の上記側面に第２の溝（５２６）が形成されており、上記第１の溝（５２５）の上記垂直方向（Ｚ）における寸法は、積層された上記第１のコア部品（５１ｆ）が両方とも、上記第１の溝（５２５）内を上記長手方向（Ｘ）に延びることができる寸法であり、上記第２の溝（５２６）の上記垂直方向（Ｚ）における寸法は、積層された上記第１のコア部品（５１ｆ）のうち下方のコア部品（５１ｆ）のみが、上記第２の溝（５２６）内を上記長手方向（Ｘ）に延びることができる寸法であり、
上記有効一次磁束区域（５３）は、積層された上記第１のコア部品（５１ｆ）のうち上方のコア部品（５１ｆ）と、上記第１の溝（５２５）内の上記第２のコア部品（５２ｆ）との間の接触区域であり、
上記有効二次磁束区域（５４）は、積層された上記第１のコア部品（５１ｆ）のうち下方の上記コア部品（５１ｆ）と、上記第２の溝（５２６）内の上記第２のコア部品（５２ｆ）との間の接触区域であり、上記第１のコア部品（５１ｆ）のうち下方の上記コア部品（５１ｆ）は、上記調整可能位置から上記組立位置へと、上記第２のコア部品（５２ｆ）に対して上記長手方向（Ｘ）に可動であることを特徴とする、請求項１に記載のトランス（２００ｆ）。
【請求項３】
上記第１のコア部品（５０ｇ）は、長手方向（Ｘ）に延びる細長いコア部品であり、
上記第２のコア部品（５２ｇ）は、Ｅ型コア部品であり、上記長手方向（Ｘ）に延びる接続セグメント（５２７）と、上記長手方向（Ｘ）に対して垂直な横断方向（Ｙ）に上記接続セグメント（５２７）から延びていると共に互いに距離を置いて配置された３つの拡張セグメント（５２８）とを有しており、
上記第１のコア部品（５１ｇ）は、上記長手方向（Ｘ）と上記横断方向（Ｙ）とに対して垂直な垂直方向（Ｚ）に、上記第２のコア部品（５２ｇ）に対して配置されており、上記有効磁束領域は、上記第１のコア部品（５１ｇ）と、上記第２のコア部品（５２ｇ）の上記拡張セグメント（５２８）のうち中心の拡張セグメント（５２８）であって上記拡張セグメント（５２８）の他の２つの拡張セグメント（５２８）によって挟まれている拡張セグメント（５２８）との間の接触区域であり、上記第１のコア部品（５１ｇ）は、上記調整可能位置から上記組立位置へと、上記横断方向（Ｙ）に上記第２のコア部品（５２ｇ）に対して可動であり、
上記拡張セグメント（５２８）のうち中心の拡張セグメント（５２８）は、上記一次巻線（３０）が上記第１のコア部品（５１ｇ）から離れるように、且つ、上記二次巻線（３０、４０）が上記第１のコア部品（５１ｇ）と近接するように、上記ボビンユニット（２０）内に延びていることを特徴とする、請求項１に記載のトランス（２００ｇ）。
【請求項４】
上記第１のコア部品（５１ｇ）は、長手方向（Ｘ）に延びる細長いコア部品であり、
上記第２のコア部品（５２ｇ）は、Ｅ型コア部品であり、上記長手方向（Ｘ）に延びる接続セグメント（５２７）と、上記接続セグメントから上記長手方向（Ｘ）に対して垂直な横断方向（Ｙ）に延びていると共に互いに距離を置いて配置された３つの拡張セグメント（５２８）とを有しており、
上記第１のコア部品（５１ｇ）は、上記第２のコア部品（５２ｇ）に対して上記横断方向（Ｙ）に配置されており、上記有効磁束領域は、上記第１のコア部品（５１ｇ）と、上記第２のコア部品（５２ｇ）の上記拡張セグメント（５２８）のうち外側の２つの拡張セグメント（５２８）であって、中心の拡張セグメント（５２８）を間に挟んでいる拡張セグメント（５２８）との間の接触区域であり、上記第１のコア部品（５１ｇ）は、上記調整可能位置から上記組立位置へと上記長手方向（Ｘ）に上記第２のコア部品（５２ｇ）に対して可動であることを特徴とする、請求項１に記載のトランス（２００ｈ）。
【請求項５】
上記第１のコア部品（５１ｇ）の上記長手方向（Ｘ）における長さは、上記第２のコア部品（５２ｇ）の上記接続セグメント（５２７）の上記長手方向（Ｘ）における長さよりも小さくないことを特徴とする、請求項４に記載のトランス（２００ｈ）。
【請求項６】
上記拡張セグメント（５２８）のうち上記中心の拡張セグメント（５２８）は、上記一次巻線（３０）が上記第１のコア部品（５１ｇ）から離れるように、且つ、上記二次巻線（４０）が上記第１のコア部品（５１ｇ）と近接するように、上記ボビンユニット（２０）内に延びていることを特徴とする、請求項４に記載のトランス（２００ｈ）。
【請求項７】
上記第２のコア部品（５２ｇ）はＥ型コア部品であり、長手方向（Ｘ）に延びる接続セグメント（５２７）と、上記接続セグメント（５２７）から上記長手方向（Ｘ）に対して垂直な横断方向（Ｙ）に延びていると共に互いに距離を置いて配置されている３つの拡張セグメント（５２８）とを有しており、
上記第１のコア部品（５１ｋ）は、上記長手方向（Ｘ）へ延びる細長いコア部品であり、互いに隣り合って配置された第１のセグメント（５１４ｋ）と第２のセグメント（５１５ｋ）とを有しており、上記第２のセグメント（５１５ｋ）の上記横断方向（Ｙ）における寸法は、上記第１のセグメント（５１４ｋ）から上記長手方向（Ｘ）に沿って次第に減少しており、
上記第２のコア部品（５２ｇ）の上記拡張セグメント（５２８）のうち中心の拡張セグメント（５２８）は、上記第２のセグメント（５１５ｋ）に接触して配置されており、
上記第１のコア部品（５１ｋ）の上記第２のセグメント（５１５ｋ）の、上記第２のコア部品（５２ｇ）の上記拡張セグメント（５２８）のうち中心の拡張セグメント（５２８）との相対位置を調節して、上記有効磁束領域の上記寸法を変更するために、上記第１のコア部品（５１ｋ）は、上記調整可能位置から上記組立位置へと上記長手方向（Ｘ）に上記第２のコア部品（５２ｇ）に対して可動であることを特徴とする、請求項１に記載のトランス（２００ｋ）。
【請求項８】
上記第１のコア部品（５１ｋ）は、上記ボビンユニット（２０）内に延びており、上記１次巻線（３０）は、上記第１のセグメント（５１４ｋ）の周囲に巻かれており、上記２次巻線（４０）は、上記第２のセグメント（５１５ｋ）の周囲に巻かれていることを特徴とする、請求項７に記載のトランス（２００ｋ）。
【請求項９】
上記各第１および第２のコア部品（５１ｍ、５２ｍ）はＥ型コア部品であり、横断方向（Ｙ）に延びる接続セグメント（５１７ｍ、５２７ｍ）と、上記接続セグメント（５１７ｍ、５２７ｍ）から上記横断方向（Ｙ）に対して垂直な長手方向（Ｘ）に延びていると共に互いに距離を置いて配置されている３つの拡張セグメント（５１８ｍ、５２８ｍ）とを有しており、上記第１および第２のコア部品（５１ｍ、５２ｍ）は、上記第１のコア部品（５１ｍ）の上記各拡張セグメント（５１８ｍ）が、上記長手方向（Ｘ）に沿って上記第２のコア部品（５２ｍ）の上記拡張セグメント（５２８ｍ）のうち対応するいずれか１つの拡張セグメント（５２８ｍ）と接触して配置されるように、且つ、上記有効磁束領域が、上記第１のコア部品（５１ｍ）の上記拡張セグメント（５１８ｍ）のうち中心の拡張セグメント（５１８ｍ）と、上記第２のコア部品（５２ｍ）の上記拡張セグメント（５２８ｍ）のうち対応する上記１つの拡張セグメント（５２８ｍ）とによって形成されるように、配置されており、
上記有効磁束領域の上記寸法を変更するために、上記第１のコア部品（５１ｍ）は、上記調整可能位置から上記組立位置へと上記長手方向（Ｘ）に上記第２のコア部品（５２ｍ）に対して可動であり、
さらに、互いに隣り合って配置された２つの上記１次巻線（３０）と、互いに距離を置いて配置された２つの上記２次巻線（４０）と、上記ボビンユニット（２０）内に延びる上記第１のコア部品（５１ｍ）の上記拡張セグメント（５１８ｍ）のうち上記中心の拡張セグメント（５１８ｍ）と、上記第２のコア部品（５２ｍ）の上記拡張セグメント（５２８ｍ）のうち対応する上記１つの拡張セグメント（５２８ｍ）とによって特徴付けられる、請求項１に記載のトランス（２００ｍ）。
【請求項１０】
上記各第１および第２のコア部品（５１ｎ、５２ｎ）はＥ型コア部品であり、横断方向（Ｙ）に延びる接続セグメント（５１７ｍ、５２７ｍ）と、上記接続セグメント（５１７ｍ、５２７ｍ）から上記横断方向（Ｙ）に対して垂直な横断（Ｘ）方向に延びていると共に互いに距離を置いて配置されている３つの拡張セグメント（５１８ｎ、５２８ｎ）とを有しており、上記各拡張セグメント（５１８ｎ、５２８ｎ）は、突起部（５１９ｎ、５２９ｎ）が設けられた上記接続セグメント（５１７ｍ、５２７ｍ）から上記長手方向（Ｘ）に離れた位置に端部を有しており、
上記第１および第２のコア部品（５１ｎ、５２ｎ）は、上記第１のコア部品（５１ｎ）の上記各拡張セグメント（５１８ｎ）が、上記第２のコア部品（５２ｎ）の上記拡張セグメント（５２８ｎ）のうち対応する拡張セグメント（５２８ｎ）に上記長手方向（Ｘ）に対応するように、且つ、上記第１のコア部品（５１ｎ）の上記各拡張セグメント（５１８ｎ）の上記突起部（５１９ｎ）が、上記第２のコア部品（５２ｎ）の上記拡張セグメント（５２８ｎ）のうち対応する上記拡張セグメント（５２８ｎ）の上記突起部（５２９ｎ）と上記横断方向（Ｙ）において接触して配置されるように、配置されており、
上記有効磁束領域は、上記第１のコア部品（５１ｎ）の上記拡張セグメント（５１８ｎ）のうち中心の拡張セグメント（５１８ｎ）の上記突起部（５１９ｎ）と、上記第２のコア部品（５２ｎ）の上記拡張セグメント（５２８ｎ）のうち対応する上記拡張セグメント（５２８ｎ）の上記突起部（５２９ｎ）との間に形成されており、
上記有効磁束領域の上記寸法を変更するために、上記第１のコア部品（５１ｎ）は、上記調整可能位置から上記組立位置へと上記長手方向（Ｘ）に上記第２のコア部品（５２ｎ）に対して可動であり、
さらに、互いに隣り合って配置された２つの上記１次巻線（３０）と、互いに距離を置いて配置された２つの上記２次巻線（４０）と、上記ボビンユニット（２０）内に延びる上記第１のコア部品（５１ｎ）の上記拡張セグメント（５１８ｎ）のうち上記中心の拡張セグメント（５１８ｎ）および上記第２のコア部品（５２ｎ）の上記拡張セグメント（５２８ｎ）のうち対応する１つの上記拡張セグメント（５２８ｎ）によって特徴付けられる、請求項１に記載のトランス（２００ｎ）。
【発明の詳細な説明】
【発明の詳細な説明】
【０００１】
〔関連出願の相互参照〕
本出願は、２００７年１０月２５日に出願された、台湾特許出願第０９６１４００６３号に対して優先権を主張するものである。
【０００２】
〔発明の背景〕
〔本発明の分野〕
本発明はトランスに関し、特に、トランスの組立プロセス中に漏洩インダクタンスを調節するために、第１のコア部品と第２のコア部品との間の相対運動を可能にするトランスに関する。
【０００３】
〔関連技術の説明〕
図１は、バックライトモジュールにおいて用いられる従来のトランス１００を示している。従来のトランス１００は、コアユニット１１、コアユニット１１に取り付けられたボビンユニット１２、ボビンユニット１２の周囲に巻かれた１次巻線１３、およびボビンユニット１２の周囲に巻かれた２次巻線１４を有している。各バックライトモジュールは、複数のランプ（図示せず）を駆動するために、従来のトランス１００を複数有している。上記ランプに接続されるように構成された従来のトランス１００の２次巻線１４は、同一のインダクタンスを有している必要がある。これは、ランプに供給される電流を平衡にして、これらランプの輝度を同一にするためである。
【０００４】
しかし、従来のトランス１００のコアユニット１１の製造中に、誤差が頻繁に起こる。例えば、従来のトランス１００のコアユニット１１は、空隙を含んでいてはならないコアタイプに属する。しかし、焼結中における多数の可変要素が製造に影響を及ぼす。この結果、従来の製造されたトランス１００において、通常は、最大４０％のインダクタンス誤差、および最大１０％の漏洩インダクタンスが発見される。これらは双方とも、１％の許容範囲を超過している。これらの不良品の品質を上げるために、研削および加工などのプロセスが追加的に行われる場合があるが、これには多くの時間を要する。このため、これらの不良品は廃棄され、結果として歩留まり率が低くなり、また形成費用が高くなる。
【０００５】
さらに、多くのトランスにおいて、コアユニットは、２つ以上のコア部品の組み合わせである（例えば、図１に示されているコアユニット１１は、Ｉ型のコア部品１１１ａおよびＯ型のコア部品１１１ｂを有している）。しかし、２つのＥ型のコア部品から成るコアユニットの場合、１次巻線に隣接する空隙に起因して漏洩インダクタンスが大量に生じ、トランスの出力に悪影響を及ぼす可能性がある。さらに、今日の技術では、トランスの１次巻線側の磁束を維持しながら、２次巻線側の磁束を調節することは不可能である。
【０００６】
〔本発明の概要〕
従って本発明は、合格品に対して規定された許容誤差の要件を満たすために、組立プロセス中にトランスの相対位置を構造的に調節することによって有効磁束領域を変更し、これによって漏洩インダクタンスの調整を可能にするトランスを提供して、トランスの生産歩留まりを上げることを目的とする。
【０００７】
本発明によると、ボビンユニット、１次巻線、２次巻線、およびコアユニットを有するトランスが提供される。上記ボビンユニットは、第１の巻線部分および第２の巻線部分を有している。上記１次巻線は、上記ボビンユニットの上記第１の巻線部分の周囲に巻かれている。上記２次巻線は、上記ボビンユニットの上記第２の巻線部分の周囲に巻かれており、且つ、上記１次巻線に電磁的に結合されている。上記コアユニットは、上記ボビンユニットに取り付けられており、且つ、第１のコア部品と、第１のコア部品との磁気回路経路を形成する第２のコア部品とを有している。上記第１のコア部品は、上記第１のコア部品と上記第２のコア部品との間に構成された有効磁束領域の寸法を変更するために、調整可能位置から組立位置へと上記第２のコア部品に対して可動である。
【０００８】
本発明の利点は、上記トランスの磁束が標準的な製品要件を満たすように、上記第１および第２のコア部品の相対位置を形成中に調節して、上記トランスの生産歩留まりを上げる上記目的を達成する点にある。
【０００９】
〔図面の簡単な説明〕
本発明の他の特徴および利点は、以下の好ましい実施形態の詳細な説明を添付図面と共に参照することによって明らかとなるであろう。添付図面は以下の通りである。
【００１０】
図１は、従来のトランスの分解斜視図である。
【００１１】
図２は、本発明に係るトランスの第１の好ましい実施形態の上面概略図である。
【００１２】
図３は、第１の好ましい実施形態の部分的な断面概略側面図である。
【００１３】
図４は、第１の好ましい実施形態の断片的な斜視図である。
【００１４】
図５は、本発明に係るトランスの第２の好ましい実施形態の分解斜視図である。
【００１５】
図６は、第２の好ましい実施形態の変形例の分解斜視図である。
【００１６】
図７は、本発明に係るトランスの第３の好ましい実施形態の分解斜視図である。
【００１７】
図８は、本発明に係るトランスの第４の好ましい実施形態の概略上面図である（図を簡素にするために、ボビンユニットは省略されている）。
【００１８】
図９は、本発明に係るトランスの第５の好ましい実施形態の斜視図である（図を簡素にするために、ボビンユニットは省略されている）。
【００１９】
図１０は、本発明に係るトランスの第６の好ましい実施形態の概略斜視図である（ボビンユニットは省略されている）。
【００２０】
図１１は、本発明に係るトランスの第７の好ましい実施形態のコアユニットの分解斜視図である。
【００２１】
図１２は、第７の好ましい実施形態の部分的な概略断面図である（図を簡素にするために、ボビンユニットは省略されている）。
【００２２】
図１３は、本発明に係るトランスの第８の好ましい実施形態の概略斜視図である（図を簡素にするために、ボビンユニットは省略されている）。
【００２３】
図１４は、本発明に係るトランスの第９の好ましい実施形態の概略斜視図である（図を簡素にするために、ボビンユニットは省略されている）。
【００２４】
図１５は、本発明に係るトランスの第１０の好ましい実施形態の概略図である（図を簡素にするために、ボビンユニットは省略されている）。
【００２５】
図１６は、本発明に係るトランスの第１１の好ましい実施形態の概略図である（ボビンユニットは省略されている）。
【００２６】
図１７は、本発明に係るトランスの第１２の好ましい実施形態の概略図である（図を簡素にするために、ボビンユニットは省略されている）。
【００２７】
図１８は、本発明に係るトランスの第１３の好ましい実施形態の概略図である（図を簡素にするために、ボビンユニットは省略されている）。
【００２８】
図１９は、本発明に係るトランスの第１４の好ましい実施形態の概略図である（図を簡素にするために、ボビンユニットは省略されている）。
【００２９】
図２０は、本発明に係るトランスの第１５の好ましい実施形態の概略上面図である。
【００３０】
図２１は、第１５の好ましい実施形態の分解斜視図である（図を簡素にするために、１次巻線および２次巻線は省略されている）。
【００３１】
〔好ましい実施形態の詳細な説明〕
本発明についてより詳細に説明する前に、本開示においては、同様の箇所は同一の参照符号によって示されている点に留意されたい。
【００３２】
図２、図３、および図４を参照すると、本発明に係るトランス２００の第１の好ましい実施形態は、ボビンユニット２０、１次巻線３０、２次巻線４０、およびコアユニット５０を有している。
【００３３】
ボビンユニット２０は、第１の巻線部分および第２の巻線部分を有している。
【００３４】
１次巻線３０は、ボビンユニット２０の第１の巻線部分の周囲に巻かれている。
【００３５】
２次巻線４０は、ボビンユニット２０の第２の巻線部分の周囲に巻かれており、且つ、１次巻線３０に電磁的に結合されている。
【００３６】
コアユニット５０はボビンユニット２０に取り付けられており、且つ、第１のコア部品５１と、第１のコア部品５１との磁気回路経路を形成する第２のコア部品５２とを有している。第１のコア部品５１は、第１のコア部品５１と第２のコア部品５２との間に構成された有効磁束領域の寸法を変更するために、調整可能位置から組立位置へと、第２のコア部品５２に対して可動である。
【００３７】
なお、図２は、第１の好ましい実施形態の上面図であり、図３は、第２のコア部品５２の断面を示す、第１の好ましい実施形態の部分的な断面概略側面図であり、図４は、第１の好ましい実施形態の断片的な斜視図であることに留意されたい。
【００３８】
本実施形態では、有効磁束領域は、第１のコア部品５１と第２のコア部品５２との間に構成された有効二次磁束区域５４であり、２次巻線４０に近接している。有効二次磁束区域５４の寸法は変更されるが、第１のコア部品５１と第２のコア部品５２との間に構成されていると共に１次巻線３０に近接している有効一次磁束区域５３の寸法は維持される。有効一次磁束区域５３および二次磁束区域５４は、それぞれ、第１のコア部品５１および第２のコア部品５２が重なり合う影付き領域によって示されている。
【００３９】
本実施形態では、ボビンユニット２０は本体２１を有している。本体２１は、長手方向（Ｘ）に沿ったコア収容区画２２と共に形成されており、また、第１および第２の巻線部分を有している。第１のコア部品５１は、コア収容区画２２を通って延びている。第１のコア部品５１はまた、調整可能位置から組立位置へと、長手方向（Ｘ）に、第２のコア部品５２に対して可動である。さらに、ボビンユニット２０は、長手方向（Ｘ）における第１のコア部品５１の第２のコア部品５２に対する動きを妨害することのないように特別に構成されている。ボビンユニット２０は、本体２１内に組み込まれた導電板２３をさらに有している。導電板２３は、一次巻線３０または二次巻線４０のいずれか１つに電気的に接続されており、且つ、トランス２００が取り付けられる回路基板６０の金属部分６１と共にキャパシタ（Ｃ）を構成するように適合されている。キャパシタ（Ｃ）は、一次巻線３０および二次巻線４０の上記いずれか１つ以上の異常性を検出する、保護回路（図示せず）のための検出器として機能することができる。
【００４０】
第１の好ましい実施形態では、第１のコア部品５１は、長手方向（Ｘ）に延びる細長いコア部品である。第２のコア部品５２は、長手方向（Ｘ）に延びて対向する長手面と、長手方向（Ｘ）に対して垂直な横断方向（Ｙ）に延びて対向する側面とを有する、Ｏ型コア部品である。第２のコア部品５２は、両方の側面にそれぞれ位置する２つの溝５２１と共に形成されている。各溝５２１は、長手方向（Ｘ）と横断方向（Ｙ）とに対して垂直な垂直方向（Ｚ）に延びている。第１のコア部品５１は、溝５２１内に延びている。一次有効磁束区域５３および二次有効磁束区域５４は、溝５２１内における第１のコア部品５１と第２のコア部品５２との間の接触区域であり、それぞれ一次巻線３０および二次巻線４０に近接している。
【００４１】
図３に示されているように、本実施形態では、第１のコア部品５１の長さ（ｄ１）は、有効二次磁束区域５４と有効一次磁束区域５３との間の最大距離（ｄ２）以上である。第１のコア部品５１の長さ（ｄ１）を、有効一次磁束区域５３と二次磁束区域５４との間の最大距離（ｄ２）以上とすることによって、第１のコア部品５１の一部が、ボビンユニット２０の本体２１内のコア収容区画２２の外側、および２つの溝５２１のうちいずれか１つの外側に延びる。これによって、製造者は、一次磁束区域５３の寸法を維持しながら、有効二次磁束区域５４のサイズの調整中に第１のコア部品５１を第２のコア部品５２に対して長手方向（Ｘ）に移動させるために、第１のコア部品５１の一部に容易に接触することができる。
【００４２】
第１のコア部品５１は、トランス２００の形成中に、有効二次磁束区域５４の寸法が、２次巻線４０の漏洩インダクタンスの誤差が標準的な製品要件（例えば１％以内）に収まるような寸法となるまで、第２のコア部品５２に対して移動される。このような寸法となって時点において、第１のコア部品５１は組立位置に配置され、そして粘着剤によって固定される準備が整う。この結果、トランス２００は、その形成中に製品要件を満たすことになり、これによってトランス２００の生産歩留まりを上げることができる。図２に示されているように、本実施形態では、有効二次磁束区域５４の寸法は、有効一次磁束区域５３の寸法とは異なる。
【００４３】
図５に示されているように、本発明に係るトランス２００ａの第２の好ましい実施形態は、トランス２００ａのボビンユニット２０ａが本体２１を２つ有している点において、第１の好ましい実施形態のトランス２００とは異なる。これらの本体２１は、第１の巻線部分同士が互いに隣接して配置されるように、且つ、第２の巻線部分同士が互いに距離を置いて配置されるように、互いに接続されている。
【００４４】
さらに、トランス２００ａは、１次巻線３０を２つ有している。各１次巻線３０は、対応するいずれかの本体２１の第１の巻線部分の周囲に巻かれている。トランス２００ａはまた、２次巻線４０を２つ有している。各２次巻線４０は、対応するいずれかの本体２１の第２の巻線部分の周囲に巻かれている。
【００４５】
第１のコア部品５１ａは、本体２１内のコア収容区画２２を通過して長手方向（Ｘ）に延びており、且つ、調整可能位置から組立位置へと、長手方向（Ｘ）に第２のコア部品５２ａに対して可動である。第１のコア部品５１ａは、中心セグメント５１１と、中心セグメント５１１の長手方向（Ｘ）における両縁に配置された２つの縁セグメント５１２とを有している。中心セグメント５１１は、１次巻線３０に対応しており、長手方向（Ｘ）に対して垂直な面（すなわち、（Ｙ−Ｚ）面）の第１の断面区域を有している。縁セグメント５１２は、それぞれ２次巻線４０に対応しており、またそれぞれ、（Ｙ−Ｚ）面内に第１の断面区域よりも小さい第２の断面区域を有している。互いに異なる第１の断面区域および第２の断面区域は、互いに異なる磁気抵抗を生成するため、第２のコア部品５２ａに対する第１のコア部品５１ａの長手方向（Ｘ）における動きによって豊富な磁気抵抗変化を生成する。
【００４６】
第２の好ましい実施形態では、コアユニット５０ａの第２のコア部品５２ａは、互いに接続された２つの８の字型のサブコア部品５２０ａから成る。各サブコア部品５２０ａは、長手方向（Ｘ）に延びて対向する長手面と、横断方向（Ｙ）に延びる３つの横断面とを有している。各横断面は、長手面と長手面との間に延びている。各サブコア部品５２０ａには、各横断面に３つの溝５２１が形成されている。各溝５２１は、長手方向（Ｘ）と横断方向（Ｙ）とに対して垂直な垂直方向（Ｚ）に延びている。第１のコア部品５１ａは、サブコア部品５２０ａの溝５２１内に延びている。
【００４７】
図６には、第２の好ましい実施形態の変形例が示されている。この変形例では、コアユニット５０ａ’の第２のコア部品５２ａ’は、長手方向（Ｘ）に延びる長手面と、長手面から垂直方向（Ｚ）に延びる４つの垂直面とを有している。ボビンユニット２０ａ’の各本体２１ａ’には、拡張溝が形成されている。この拡張溝は、第２のコア部品５２ａ’の対応するいずれか１つの垂直面が、当該拡張溝内に延びて第１のコア部品５１ａと接触して配置されることを可能にする。
【００４８】
図７を参照すると、本発明に係るトランス２００ｂの第３の好ましい実施形態が示されている。トランス２００ｂは、その第２のコア部品５２ｂがＯ型コア部品である点のみにおいて、第２の好ましい実施形態のトランス２００ａと異なる。第２および第３の好ましい実施形態に見られるように、第２のコア部品５２ａおよび５２ｂは、異なる構造を有していながら、第１のコア部品５１ａを第２のコア部品５２ａおよび５２ｂに対して移動させることによって２次巻線４０の漏洩インダクタンスを調節するという課題を達成することができる。
【００４９】
以下に説明する実施形態では、特に必要ではない限り、図面を簡素にするためにボビンユニット２０は省略されており、また一次巻線３０および二次巻線４０は想像線によってブロックで示されている。
【００５０】
図８を参照すると、本発明に係るトランス２００ｃの第４の好ましい実施形態が示されている。トランス２００ｃは、その第２のコア部品５２ｃが第１のサブコア部品５２３ｃおよび第２のサブコア部品５２４ｃを有している点において、第１の好ましい実施形態のトランス２００（図２に示されている）と異なる。第１のコア部品５１は、長手方向（Ｘ）に延びており、また、第１のサブコア部品５２３ｃおよび第２のサブコア部品５２４ｃに対して、調整可能位置から組立位置へと長手方向（Ｘ）に可動である。各第１のサブコア部品５２３ｃおよび第２のサブコア部品５２４ｃは、長手方向（Ｘ）に延びて対向する長手面と、長手方向（Ｘ）に対して垂直な横断方向（Ｙ）に延びる側面とを有するＣ型部品である。第１のサブコア部品５２３ｃおよび第２のサブコア部品５２４ｃは、第１のサブコア部品５２３ｃおよび第２のサブコア部品５２４ｃの側面同士が互いに向き合うように、長手方向（Ｘ）に互いに接触して配置されている。各第１のサブコア部品５２３ｃおよび第２のサブコア部品５２４ｃの側面には、長手方向（Ｘ）と横断方向（Ｙ）とに対して垂直な垂直方向（Ｚ）に延びる、溝５２１が形成されている。第１のコア部品５１は、第１のサブコア部品５２３ｃおよび第２のサブコア部品５２４ｃ内の溝５２１内に延びている。一次有効磁束区域５３は、第１のコア部品５１と、第１のサブコア部品５２３ｃ内の溝５２１内の第１のサブコア部品５２３ｃとの間の接触区域であり、また１次巻線３０に近接している。二次有効磁束区域５４は、第１のコア部品５１と第２のサブコア部品５２４ｃ内の溝５２１内の第２のサブコア部品５２４ｃとの間の接触区域であり、また２次巻線４０に近接している。
【００５１】
図９を参照すると、本発明に係るトランス２００ｄの第５の好ましい実施形態が示されている。トランス２００ｄは、トランス２００ｄのコアユニット５０ｄの第２のコア部品５２ｄが長手面および対向する垂直面を有するＣ型コア部品である点において、第１の好ましい実施形態のトランス２００（図２に示されている）と異なる。上記長手面は、長手方向（Ｘ）に延びている。上記各垂直面は、長手方向（Ｘ）と横断方向（Ｙ）とに対して垂直な垂直方向（Ｚ）に延びており、垂直方向（Ｚ）に対して垂直な面（すなわち（Ｘ−Ｙ）面）に端面を有している。垂直面のこれら端面は、第１のコア部品５１に接触して配置されている。一次有効磁束区域５３および二次有効磁束区域５４は、それぞれ、第１のコア部品５１と接触して配置されていると共に一次巻線３０および二次巻線４０にそれぞれ近接して配置された、第２のコア部品５２の垂直面の端面の区域である。第１のコア部品５１は、第２のコア部品５２ｄに対して、調整可能位置から組立位置へと長手方向（Ｘ）に可動である。
【００５２】
図１０を参照すると、本発明に係るトランス２００ｅの第６の好ましい実施形態が示されている。トランス２００ｅは、主にその第２のコア部品５２ｅが長手面および対向する横断面を有するＵ字型コア部品である点において、第１の好ましい実施形態のトランス２００（図２に示されている）と異なる。上記長手面は、長手方向（Ｘ）に延びている。各横断面は、長手方向（Ｘ）に対して垂直な横断方向（Ｙ）に延びており、長手および横断方向（Ｘ、Ｙ）の面に側面を有している。これら横断面の側面は、第１のコア部品５１に接触して配置されている。一次有効磁束区域５３および二次有効磁束区域５４は、それぞれ、第１のコア部品５１に接触して配置されていると共にそれぞれ一次巻線３０および二次巻線４０に近接して配置された、第２のコア部品５２ｅの横断面の側面の区域である。第１のコア部品５１は、第２のコア部品５２ｅに対して、調整可能位置から組立位置へと長手方向（Ｘ）に可動である。
【００５３】
図１１および図１２を参照すると、本発明に係るトランス２００ｆの第７の好ましい実施形態が示されている。トランス２００ｆは、主にトランス２００ｆのコアユニット５０ｆが第１のコア部品５１ｆを２つ有している点において、第１の好ましい実施形態のトランス２００（図２に示されている）と異なる。各第１のコア部品５１ｆは、長手方向（Ｘ）に延びる細長いコア部品である。第２のコア部品５２ｆは、長手方向（Ｘ）に延びて対向する長手面と、長手方向（Ｘ）に対して垂直な横断方向（Ｙ）に延びて対向する側面とを有する、Ｏ型コア部品である。第１のコア部品５１ｆは、長手方向（Ｘ）と横断方向（Ｙ）とに対して垂直な垂直方向（Ｚ）に積層されている。さらに、第２のコア部品５２ｆには、１次巻線３０に近接する側面のいずれか一方に第１の溝５２５が形成されており、また、２次巻線４０に近接する側面の他方に第２の溝５２６が形成されている。第１の溝５２５の垂直方向（Ｚ）における寸法は、積層された両方の第１のコア部品５１ｆが、第１の溝５２５内を長手方向（Ｘ）に延びるような寸法となっている。第２の溝５２６の垂直方向（Ｚ）における寸法は、積層された第１のコア部品５１ｆのうち下方に位置する部品のみが、第２の溝５２６内に長手方向（Ｘ）に延びるように寸法となっている。
【００５４】
第７の好ましい実施形態では、有効一次磁束区域５３は、積層された第１のコア部品５１ｆのうち上方のコア部品と、第１の溝５２５内の第２のコア部品５２ｆとの間の接触区域である。有効二次磁束区域５４は、積層された第１のコア部品５１ｆのうち下方のコア部品と、第２の溝５２６内の第２のコア部品５２ｆとの間の接触区域である。第１のコア部品５１ｆのうち下方のコア部品は、第２のコア部品５２ｆに対して、調整可能位置から組立位置へと長手方向（Ｘ）に可動である。
【００５５】
図１３を参照すると、本発明に係るトランス２００ｇの第８の好ましい実施形態が示されている。トランス２００ｇは、主に、トランス２００ｇの変更される有効磁束領域が、これまでの実施形態において構成された有効二次磁束区域５４ではない点において、これまでの実施形態とは異なる。さらに、これまでの実施形態において規定された有効一次磁束区域５３の寸法を維持しながら、有効磁束領域の寸法を変更することは重要ではない。
【００５６】
第８の好ましい実施形態では、コアユニット５０ｇの第１のコア部品５１ｇは、長手方向（Ｘ）に延びる細長いコア部品である。第２のコア部品５２ｇは、Ｅ型コア部品であり、接続セグメント５２７および３つの拡張セグメント５２８を有している。接続セグメント５２７は、長手方向（Ｘ）に延びている。拡張セグメント５２８は、接続セグメント５２７から、長手方向（Ｘ）に対して垂直な横断方向（Ｙ）に延びており、また互いに距離を置いて配置されている。
【００５７】
第１のコア部品５１ｇは、第２のコア部品５２ｇに対して、長手方向（Ｘ）と横断方向（Ｙ）とに対して垂直な垂直方向（Ｚ）に配置されている。有効磁束領域は、第１のコア部品５１ｇと、第２のコア部品５２ｇの拡張セグメント５２８のうち両側の２つに挟まれた中心のセグメントとの間の接触区域であり、参照符号５５が付された影付き領域で示されている。第１のコア部品５１ｇは、第２のコア部品５２ｇに対して、調整可能位置から組立位置へと横断方向（Ｙ）に可動である。
【００５８】
本実施形態では、第２のコア部品５２ｇの拡張セグメント５２８のうち中心のセグメントは、一次巻線３０が第１のコア部品５１ｇから離れて位置するように、且つ二次巻線４０が第１のコア部品５１ｇに近接して位置するように、ボビンユニット２０（図２に示されている）内に延びている。
【００５９】
図１４を参照すると、本発明に係るトランス２００ｈの第９の好ましい実施形態が示されている。トランス２００ｈは、そのコアユニット５０ｈの構造において、第８の好ましい実施形態のトランス２００ｇとは異なる。第９の好ましい実施形態では、コアユニット５０ｈの第１のコア部品５１ｇは、第２のコア部品５２ｇに対して横断方向（Ｙ）に配置されている。有効磁束領域は、第１のコア部品５１ｇと、第２のコア部品５２ｇの拡張セグメント５２８のうち両側の２つのセグメントに挟まれた中心のセグメントとの間の接触区域として構成されており、参照符号５５が付された影付き領域で示されている。第１のコア部品５１ｇは、第２のコア部品５２ｇに対して、調整可能位置から組立位置へと長手方向（Ｘ）に可動である。
【００６０】
さらに、第１のコア部品５１ｇの長手方向（Ｘ）における長さは、第２のコア部品５２ｇの接続セグメント５２７の長手方向（Ｘ）における長さよりも短くない。本実施形態では、第１のコア部品５１ｇの長手方向（Ｘ）における長さは、第２のコア部品５２ｇの接続セグメント５２７の長手方向（Ｘ）における長さと等しい。
【００６１】
第８の好ましい実施形態と同様に、第２のコア部品５２ｇの拡張セグメント５２８のうち中心のセグメントは、一次巻線３０が第１のコア部品５１ｇと距離を置いて配置されるように、且つ二次巻線４０が第１のコア部品５１ｇに近接して配置されるように、ボビンユニット２０（図２に示されている）内に延びている。
【００６２】
図１５を参照すると、本発明に係るトランス２００ｉの第１０の好ましい実施形態が示されている。トランス２００ｉは、そのコアユニット５１ｉの第１のコア部品５１ｉが、長手方向（Ｘ）に延びる細長いコア部品であり、また溝５１３が形成されている点において、第９の好ましい実施形態のトランス２００ｈとは異なる。溝５１３は、横断方向（Ｙ）に延びている。溝５１３の長手方向（Ｘ）における寸法は、第２のコア部品５２ｇの拡張セグメント５２８のうち両側の２つのセグメントに挟まれた中心のセグメントの長手方向（Ｘ）における寸法よりも大きい。
【００６３】
第１のコア部品５１ｉは、溝５１３と拡張セグメント５２８のうち中心のセグメントとが対応するように、且つ第１のコア部品５１ｉと拡張セグメント５２８のうち中心のセグメントとの間に空隙が存在するように、第２のコア部品（Ｘ）に対して横断方向（Ｙ）に配置される。
【００６４】
第１０の好ましい実施形態では、第１のコア部品５１ｉは、第２のコア部品５２ｇに対して、調整可能位置から組立位置へと長手方向（Ｘ）に可動である。これは、空隙の構造を変更して、有効磁束領域の寸法を変更するためである。
【００６５】
第１０の好ましい実施形態のボビンユニット（図示せず）には、これまでの実施形態とは異なり、一次巻線３０と二次巻線４０との間に拡張溝（図示せず）が形成されている。第２のコア５２ｇの拡張セグメント５２８のうち中心のセグメントは、第１のコア部品５１ｉの溝５１３内に空隙が形成されるように、上記拡張溝を通過して延びている。第１のコア部品５１ｉは、ボビンユニット内に延びている。
【００６６】
さらに、第１のコア部品５１ｉの長手方向（Ｘ）における長さは、第２のコア部品５２ｇの接続セグメント５２７の長手方向（Ｘ）における長さよりも短くない。本実施形態では、第１のコア部品５１ｉの長手方向（Ｘ）における長さは、第２のコア部品５２ｇの接続セグメント５２７の長手方向（Ｘ）における長さと等しい。
【００６７】
図１６を参照すると、本発明に係るトランス２００ｊの第１１の好ましい実施形態が示されている。トランス２００ｊは、そのコアユニット５０ｊの第１のコア部品５１ｊが、長手方向（Ｘ）に延びる細長いコア部品であり、また厚いセグメント５１４ｊと薄いセグメント５１５ｊとを有している点において、第１０の好ましい実施形態のトランス２００ｉとは異なる。薄いセグメント５１５ｊは、横断方向（Ｙ）において、厚いセグメント５１４ｊよりも薄くなっており、厚いセグメント５１４ｊおよび薄いセグメント５１５ｊは共に、間に接合部５１６を形成している。第２のコア部品５２ｇの拡張セグメント５２８のうち中心のセグメントは、接合部５１６に空隙を形成するように、薄いセグメント５１５ｊに対応している。
【００６８】
本実施形態では、第１のコア部品５１ｊは、第２のコア部品５２ｇに対して、調整可能位置から組立位置へと長手方向（Ｘ）に可能である。これは、空隙の構成を変更して、有効磁束領域の寸法を変更するためである。
【００６９】
第１のコア部品５１ｊは、これまでの実施形態とは異なり、一次巻線３０と二次巻線４０との間に接合部５１６が配置されたボビンユニット（図示せず）内に延びている。当該ボビンユニットには、拡張溝が形成されている。当該拡張溝は、第２のコア部品５２ｇの拡張セグメント５２８のうち中心のセグメントが当該拡張溝内に延びて、第１のコア部品５１ｊの接合部５１６に空隙が形成されるようになっている。
【００７０】
第１のコア部品５１ｊの長手方向（Ｘ）における長さは、第２のコア部品５２ｇの接続セグメント５２７の長手方向（Ｘ）における長さよりも短くない。本実施形態では、第１のコア部品５１ｊの長手方向（Ｘ）における長さは、第２のコア部品５２ｇの接続セグメント５２７の長手方向（Ｘ）における長さと等しい。
【００７１】
図１７を参照すると、本発明に係るトランス２００ｋの第１２の好ましい実施形態が示されている。トランス２００ｋは、主に、トランス２００ｋの第１のコア部品５１ｋが長手方向（Ｘ）に延びる細長いコア部品であり、また互いに隣接して配置された第１のセグメント５１４ｋと第２のセグメント５１５ｋとを有している点において、第１１の好ましい実施形態のトランス２００ｊとは異なる。第２のセグメント５１５ｋの横断方向（Ｙ）における寸法は、第１のセグメント５１４ｋから長手方向（Ｘ）に沿って次第に小さくなっている。さらに、第２のコア部品５２ｇの拡張セグメント５２８のうち中心のセグメントは、第１のコア部品５１ｋの第２のセグメント５１５ｋと接触して配置されている。
【００７２】
本実施形態では、第１のコア部品５１ｋは、第２のコア部品５２ｇに対して、調整可能位置から組立位置へと長手方向（Ｘ）に可動である。これは、第２のコア部品５２ｇの拡張セグメント５２８のうち中心のセグメントに対する第１のコア部品５１ｋの第２のセグメント５１５ｋの相対位置を調節して、有効磁束領域の寸法を変更するためである。
【００７３】
本実施形態では、第１のコア部品５１ｋは、ボビンユニット（図示せず）内に延びている。当該ボビンユニットには拡張溝（図示せず）が形成されており、また第２のコア部品５２ｇの拡張セグメント５２８のうち中心のセグメントは、第１のコア部品５１ｋの第２のセグメント５１５ｋと接触して配置されるように、ボビンユニット内の拡張溝を通過して延びている。１次巻線３０は、第１のコア部品５１ｋの第１のセグメント５１４ｋの周囲に巻かれており、２次巻線４０は、第１のコア部品５１ｋの第２のセグメント５１５ｋの周囲に巻かれている。
【００７４】
図１８を参照すると、本発明に係るトランス２００ｍの第１３の好ましい実施形態が示されている。トランス２００ｍは、主に、その第１のコア部品５１ｍおよび第２のコア部品５２ｍがＥ型コア部品であり、また接続セグメント５１７ｍ、５２７ｍおよび３つの拡張セグメント５１８ｍ、５２８ｍを有している点において、これまでの実施形態とは異なる。接続セグメント５１７ｍ、５２７ｍは、横断方向（Ｙ）に延びている。第１のコア部品５１ｍの拡張セグメント５１８ｍおよび第２のコア部品５２ｍの拡張セグメント５２８ｍは、接続セグメント５１７ｍ、５２７ｍから長手方向（Ｘ）に延びており、また互いに距離を置いて配置されている。第１のコア部品５１ｍおよび第２のコア部品５２ｍは、第１のコア部品５１ｍの各拡張セグメント５１８ｍが、長手方向（Ｘ）に沿って、第２のコア部品５２ｍの対応するいずれか１つの拡張セグメント５２８ｍと接触して配置されるように、且つ、有効磁束領域（参照符号５５）が、第１のコア部品５１ｍの拡張セグメント５１８ｍのうちの中心のセグメントと第２のコア部品５２ｍの対応するいずれか１つの拡張セグメント５２８ｍとによって構成されるように、配置されている。
【００７５】
本実施形態では、第１のコア部品５１ｍは、第２のコア部品５２ｍに対して、調整可能位置から組立位置へと長手方向（Ｘ）に可動である。これは、有効磁束領域５５の寸法を変更するためである。
【００７６】
さらに、第１３の好ましい実施形態のトランス２００ｍは、互いに隣り合って配置された２つの１次巻線３０と、互いに距離を置いて配置された２つの２次巻線４０とを有している。第１のコア部品５１ｍの拡張セグメント５１８ｍのうち中心のセグメント、および、第２のコア部品５２ｍのいずれか１つの対応する拡張セグメント５２８ｍは、ボビンユニット（図示せず）内に延びている。
【００７７】
図１９を参照すると、本発明に係るトランス２００ｎの第１４の好ましい実施形態が示されている。トランス２００ｎは、主に、その第１のコア部品５１ｎの拡張セグメント５１８ｎおよび第２のコア部品５２ｎの拡張セグメント５２８ｎが、長手方向（Ｘ）に突起部５１９ｎが設けられた接続セグメント５１７ｍおよび突起部５２９ｎが設けられた接続セグメント５２７ｍから離れた端部を有している点において、第１３の好ましい実施形態のトランス２００ｍとは異なる。第１のコア部品５１ｎおよび第２のコア部品５２ｎは、第１のコア部品５１ｎの各拡張セグメント５１８ｎが、長手方向（Ｘ）において、第２のコア部品５２ｎの対応するいずれか１つの拡張セグメント５２８ｎと対応するように、且つ、第１のコア部品５１ｎの各拡張セグメント５１８ｎの突起部５１９ｎが、横断方向（Ｙ）において、第２のコア部品５２ｎの対応するいずれか１つの拡張セグメント５２８ｎの突起部５２９ｎと接触して配置されるように、配置されている。
【００７８】
有効磁束領域は、第１のコア部品５１ｎの拡張セグメント５１８ｎのうち中心のセグメントの突起部５１９ｎと、第２のコア部品５２ｎの対応するいずれか１つの拡張セグメント５２８ｎの突起部５２９ｎとの間に構成されており、参照符号５５で示されている。
【００７９】
本実施形態では、第１のコア部品５１ｎは、第２のコア部品５２ｎに対して、調整可能位置から組立位置へと長手方向（Ｘ）に可動である。これは、有効磁束領域５５の寸法を変更するためである。
【００８０】
本実施形態では、トランス２００ｎは、互いに隣り合って配置された２つの１次巻線３０と、互いに距離を置いて配置された２つの２次巻線４０とを有している。第１のコア部品５１ｎの拡張セグメント５１８ｎのうち中心のセグメント、および、第２のコア部品５２８ｎの対応するいずれか１つの拡張セグメント５２８ｎは、ボビンユニット（図示せず）内に延びている。
【００８１】
図２０および図２１を参照すると、本発明に係るトランス２００ｐの第１５の好ましい実施形態が示されている。トランス２００ｐは、主に、そのコアユニット５０ｐが第１のコア部品５１ｐを２つ有している点において、第２の好ましい実施形態のトランス２００ａ（図５に示されている）とは異なる。各第１のコア部品５１ｐは、長手方向（Ｘ）に延びる細長いコア部品である。第２のコア部品５２ｐは、長手方向（Ｘ）に延びて対向する長手面と、横断方向（Ｙ）に延びて対向する側面とを有する、Ｏ型コア部品である。第１のコア部品５１ｐは、横断方向（Ｙ）に並列している。
【００８２】
第２のコア部品５２ｐの各側面には、溝５２１が形成されている。溝５２１の横断方向（Ｙ）における寸法は、第１のコア部品５１ｐが長手方向（Ｘ）において溝５２１内に延びるような寸法となっている。
【００８３】
第１のコア部品５１ｐおよび第２のコア部品５２ｐは、第１のコア部品５１ｐと溝５２１内の第２のコア部品５２ｐとの間の接触区域に、２つの有効磁束領域５５を構成している。第１のコア部品５１ｐは、第２のコア部品５２ｐに対して、調整可能位置から組立位置へと長手方向（Ｘ）に可動である。
【００８４】
ボビンユニット２０ａは、第２の好ましい実施形態と同様に、２つの本体２１を有している。各本体は、長手方向（Ｘ）に沿ってコア収容区画２２が形成されており、また第１および第２の巻線部分を有している。これらの本体２２は、第１の巻線部分同士が互いに隣接して配置されるように、且つ、第２の巻線部分同士が互いに距離を置いて配置されるように、互いに接続されている。トランス２００ｐはさらに、２つの１次巻線３０を有している。各１次巻線３０は、対応するいずれか１つの本体２１の第１の巻線部分の周囲に巻かれている。トランス２００ｐはさらに、２つの２次巻線４０を有している。各２次巻線４０は、対応するいずれか１つの本体２１の第２の巻線部分の周囲に巻かれている。
【００８５】
第１のコア部品５１ｐは、長手方向（Ｘ）に、本体２１内のコア収容区画２２を通過して延びており、また、第２のコア部品５２ｐに対して、調整可能位置から組立位置へと長手方向（Ｘ）に可動である。
【００８６】
上述の好ましい実施形態では、トランスが有している１次巻線および２次巻線が１つであるのか、あるいは２つであるのかに関わらず、コアユニットの構造は、第１のコア部品が第２のコア部品に対して可動であるように設計されており、また、ボビンユニットは、第２のコア部品に対する第１のコア部品の動きを妨害しないように特別に構成されており、また、第１のコア部品と第２のコア部品との間に構成された有効磁束領域の寸法を、製品要件に適合する漏洩インダクタンスを達成するために変更して、この時点において、第１のコア部品が組立位置に配置され、粘着剤を用いて固定することができることに留意されたい。さらに、本発明の一部の実施形態では、有効一次磁束区域の寸法を維持する一方で、有効二次磁束区域の寸法を調整し、これによってトランスの１次巻線側における安定性を確保することができる。
【００８７】
本発明について、最も実用的かつ好ましいと考えられる実施形態に関連して説明した。しかし本発明は、開示されている実施形態に限定されるものではなく、最も広く解釈される本発明の精神および範囲に含まれる様々な構成を網羅しており、このような変形例および同等の構成をも包含するものであることについて理解されたい。
【図面の簡単な説明】
【００８８】
【図１】従来のトランスの分解斜視図である。
【図２】本発明に係るトランスの第１の好ましい実施形態の上面概略図である。
【図３】第１の好ましい実施形態の部分的な断面概略側面図である。
【図４】第１の好ましい実施形態の断片的な斜視図である。
【図５】本発明に係るトランスの第２の好ましい実施形態の分解斜視図である。
【図６】第２の好ましい実施形態の変形例の分解斜視図である。
【図７】本発明に係るトランスの第３の好ましい実施形態の分解斜視図である。
【図８】本発明に係るトランスの第４の好ましい実施形態の概略上面図である。
【図９】本発明に係るトランスの第５の好ましい実施形態の斜視図である。
【図１０】本発明に係るトランスの第６の好ましい実施形態の概略斜視図である。
【図１１】本発明に係るトランスの第７の好ましい実施形態のコアユニットの分解斜視図である。
【図１２】第７の好ましい実施形態の部分的な概略断面図である。
【図１３】本発明に係るトランスの第８の好ましい実施形態の概略斜視図である。
【図１４】本発明に係るトランスの第９の好ましい実施形態の概略斜視図である。
【図１５】本発明に係るトランスの第１０の好ましい実施形態の概略図である。
【図１６】本発明に係るトランスの第１１の好ましい実施形態の概略図である。
【図１７】本発明に係るトランスの第１２の好ましい実施形態の概略図である。
【図１８】本発明に係るトランスの第１３の好ましい実施形態の概略図である。
【図１９】本発明に係るトランスの第１４の好ましい実施形態の概略図である。
【図２０】本発明に係るトランスの第１５の好ましい実施形態の概略上面図である。
【図２１】第１５の好ましい実施形態の分解斜視図である。
【図１】
0004904329.tif 000002
【図２】
0004904329.tif 000003
【図３】
0004904329.tif 000004
【図４】
0004904329.tif 000005
【図５】
0004904329.tif 000006
【図６】
0004904329.tif 000007
【図７】
0004904329.tif 000008
【図８】
0004904329.tif 000009
【図９】
0004904329.tif 000010
【図１０】
0004904329.tif 000011
【図１１】
0004904329.tif 000012
【図１２】
0004904329.tif 000013
【図１３】
0004904329.tif 000014
【図１４】
0004904329.tif 000015
【図１５】
0004904329.tif 000016
【図１６】
0004904329.tif 000017
【図１７】
0004904329.tif 000018
【図１８】
0004904329.tif 000019
【図１９】
0004904329.tif 000020
【図２０】
0004904329.tif 000021
【図２１】
0004904329.tif 000022